(57)【要約】【課題】デザインの変化を楽しむことができるタンブラー用蓋を提供する。【解決手段】タンブラー用蓋１を、飲み口２３が設けられた蓋本体２と、飲み口２３を開閉する回転蓋３と、回転蓋３に取り付けられたリボン５２と、蓋本体２に取り付けられた耳５１とによって構成する。回転蓋３を回動させて飲み口２３を開閉すると、回転蓋３に取り付けられたリボン５２の位置が変化するとともに表裏面が逆転するため、たとえば首元で表面の青い蝶ネクタイを結んだ男性（オス）、頭では裏面のピンクのリボンを結んだ女性（メス）のようにタンブラー用蓋１の外観が全く異なるものに変化し、デザインの変化を楽しむことができる。【選択図】図１
0003150162.tif 000002
【実用新案登録請求の範囲】
【請求項１】
タンブラーに取り付けられるタンブラー用蓋であって、
蓋本体に設けられた飲み口と、
前記蓋本体に回動可能に取り付けられて前記飲み口を開閉可能な回転蓋と、
該回転蓋に取り付けられた装飾Ａとを有し、
前記回転蓋を回動させて前記飲み口を開閉する際に、前記装飾Ａの位置が回転して変化し、そして表裏面も逆転してデザインが変化することを特徴とするタンブラー用蓋。
【請求項２】
前記蓋本体に取り付けられた装飾Ｂを有し、
前記回転蓋を回動させて前記飲み口を開閉する際に、前記装飾Ａの位置が回転して前記装飾Ｂと合一したデザインを形成するように位置関係が変化することを特徴とする請求項１に記載のタンブラー用蓋。
【請求項３】
前記装飾Ａは、前記回転蓋先端の突片に係合して取り付けられ、
前記装飾Ｂは、前記蓋本体に接着されて取り付けられており、
装飾Ａ、Bが、取り外し交換可能となっていて、デザインを変更することが可能であることを特徴とする請求項２に記載のタンブラー用蓋
【考案の詳細な説明】
【技術分野】
【０００１】
本考案は、飲み口の開閉時にデザインが変化するタンブラー用の蓋に関する。
【背景技術】
【０００２】
従来、ジュースやコーヒー等の飲料を入れるタンブラーの開口部を封止する蓋がある。
この蓋を取り付けることにより、飲料を入れた状態でタンブラーを持ち運んだりした際に、飲料がこぼれてしまうことを防止できる。
また、たとえば特許文献１に記載されたものでは、蓋の一部が折れ曲げ可能となっており、蓋の一部分だけ開けられるように構成されている。これにより、飲料を飲む際に蓋の一部を折り曲げて一部分だけ蓋を開け、該開口から飲料を飲み、飲料を飲まない場合には蓋を完全に閉めることにより、飲料がタンブラーからこぼれてしまうことが防止できる。
【先行技術文献】
【特許文献】
【０００３】
【特許文献１】特許第３２２５０２２号
【考案の概要】
【考案が解決しようとする課題】
【０００４】
しかしながら従来のものでは、タンブラーに蓋をするという機能を有するのみで、デザイン性に乏しい。また、単純に蓋にデザインを施しただけではすぐに見飽きてしまい、面白みが無いといった問題があった。
【課題を解決するための手段】
【０００５】
そこで本考案はこのような問題点に鑑み、デザインの変化を楽しむことができるタンブラー用蓋を提供することを目的とする。
そのため本考案は、タンブラーの開口部に取り付けたタンブラー用蓋において、飲み口を開閉する回転蓋に装飾Ａを取り付け、飲み口の開閉動作とともに装飾Ａも回転して位置が変化するように構成した。
そして蓋本体に装飾Ｂを取り付け、回転蓋を回動させて飲み口を開閉させる際に、回転蓋の回転と一緒に回転して位置および表裏が逆転する装飾Ａの裏面と、装飾Ｂとが重なり合一したデザインに変化させるようにした。
さらに装飾Ａを回転蓋の突片に係合させて取り付け、装飾Ｂを蓋本体に取り付けるようにしてあることで、装飾Ａと装飾Ｂが、取り外し交換可能として、デザイン変更を可能とした。
【考案の効果】
【０００６】
本考案によれば、飲み口の開閉時に回動する回転蓋に装飾Ａが取り付けられているため、タンブラー内の飲料を飲むために回転蓋を回転させて飲み口を開放した時と、飲み口を閉じた時とで装飾Ａの位置および表裏が変化し、タンブラー用蓋のデザインの変化を楽しむことができる。
また蓋本体に装飾Ｂを取り付けておくことで、回転蓋の開閉時に装飾Ａと装飾Ｂとの位置関係が変化し、閉蓋時は装飾Ａと装飾Ｂが蓋の直径方向の反対位置にあり、開蓋時には装飾ＡとＢとが同じ側に位置して合一したデザインとなり、さらには装飾Ａの表裏のデザインを変化させておくことにより、開蓋時には装飾Ａは回転して裏側のデザインとなるので、タンブラー用蓋のデザインの変化をさらに楽しむことができる。
さらにまた、装飾Ａ、装飾Ｂを係合または接着によって取り付けるものとしたので、装飾Ａ、Bが、取り外し交換可能であり、デザイン変更や取り付け位置の変更を容易に行うことができ、蓋本体部や回動蓋を共通のものとしながら、異なるデザインのタンブラー用蓋を安価に製造することができる。
【図面の簡単な説明】
【０００７】
【図１】タンブラー用蓋をタンブラーに取り付けた状態を示す斜視図である。
【図２】タンブラー用蓋の回転蓋の回動状態を示す断面図であり、図２（ａ）は回転蓋が開けられた状態、図２（ｂ）は回転蓋が閉まる直前の状態、図２（ｃ）は回転蓋が完全に閉じた状態を示す図である。
【図３】タンブラー用蓋の外観が変化する様子を示した平面図である。
【考案を実施するための最良の形態】
【０００８】
次に本考案の実施の形態を実施例により説明する。
タンブラー本体４の上部開口にタンブラー用蓋１が取り付けられる。
タンブラー用蓋１は、特に図２（ａ）に示すように、円盤形状の蓋本体２の下面に円筒形状の嵌め込み部２１が設けられている。タンブラー本体４の上部開口に嵌め込み部２１をねじ込むことによってタンブラー本体４とタンブラー用蓋１とが取り付けられている。
なお、嵌め込み部２１にはリング形状のパッキン２２が取り付けられており（図２（ａ）参照）、タンブラー用蓋１をタンブラー本体４に取り付けたときに、タンブラー用蓋１とタンブラー本体４の上部開口縁との間にパッキン２２が挟み込まれ、タンブラー本体４内の飲料が接続部分からこぼれ出ることを防止している。
【０００９】
蓋本体２の上側外周縁には、上方向に伸びるリブ２４が形成されている。
リブ２４の外面には、装飾Ｂとなる略円形状の耳５１が２つ接着によって取り付けられている。
タンブラー用蓋１を上方向から見たときに、顔としての蓋本体２と、耳５１とで、キャラクターの顔部の外観を構成している。
２つの耳５１の間において、リブ２４に切り欠き２５が形成されている。
切り欠き２５が形成された部位の反対側のリブ２４の外面に、横方向に伸びるロック溝２６が形成されている。
【００１０】
リブ２４には、半月形状の回転蓋３が回動可能に取り付けられている。
回転蓋３は、半月形状の弦の方向に突出する２つの回動突起３４（図１参照）を有し、該回動突起３４をリブ２４の内側面に設けられた軸受け２７に嵌め込むことによって、半月形状の弦の部分を軸として回動する。
蓋本体２には、蓋本体２の表裏面を貫通する飲み口２３が形成されている。
回転蓋３には、回転蓋３を回動させて飲み口２３を覆った時に飲み口２３と対応する位置に、飲み口２３を封止するための栓３１が取り付けられている。
栓３１はゴム等の弾性体によって構成され、回転蓋３を回動させて栓３１を飲み口２３に差し込むことによって、飲み口２３を封止することができる。
【００１１】
回転蓋３の外周部にはロック片３２が設けられている。
さらにロック片３２には突片が形成され、該突片に係合させることによって装飾Ａとなるリボン５２が取り付けられている。
リボン５２は、回転蓋３によって飲み口２３を閉じたとき（図２（ｃ）の状態）に上方側から見える面（表面）が青色に着色され、飲み口２３を開放しているとき（図２（ａ）の状態）に上方側から見える面（裏面）がピンク色に着色されている。異なる色彩以外に別のデザインとしても良い。
【００１２】
ロック片３２は、特に図２（ｂ）、（ｃ）に示すように断面がＵ字形状に形成され、先端部には内側に突出する凸部３３が設けられている。
図２（ｃ）に示すように、回転蓋３を回動させて飲み口２３を封止した時に、飲み口２３近傍のリブ２４がロック片３２のＵ字形状内側に嵌め込まれる。さらにロック片３２の先端の凸部３３をロック溝２６に嵌め込むことにより、栓３１によって飲み口２３を封止した状態で回転蓋３を固定することができる。
【００１３】
一方、飲み口２３を開放した状態で回転蓋３を固定するためには、図２（ａ）に示すように、リブ２４に設けられた切り欠き２５内に回転蓋３から突出するロック片３２を嵌め込んで回転蓋３の回動を固定する。
なお切り欠き２５の幅は、ロック片３２の幅よりも所定長さだけ小さくなるように形成され、ロック片３２を切り欠き２５内に押し込むことによりロック片３２を固定することができる。
【００１４】
次に、回転蓋３を回動させた時のタンブラー用蓋１の外観の変化について説明する。
図３は、タンブラー用蓋の外観が変化する様子を示した平面図であり、図３（ａ）は回転蓋３が飲み口を閉じた状態、図３（ｂ）は飲み口２３を開放した状態を示す図である。
図３（ａ）に示すように回転蓋３によって飲み口２３を閉じた状態では、リボン５２が顔形状に該当する蓋本体２の下方側に位置し、リボン５２の表面側が表れて蝶ネクタイの青いリボンのように見える。
図３（ｂ）に示すように回転蓋３のロック片３２を切り欠き２５に嵌め込み、飲み口２３を開放した状態では、リボン５２が顔としての蓋本体２の上方側に位置し、リボン５２の裏面側が表れて耳５１の間で頭に結ばれたピンクのリボンのように見える。
【００１５】
本実施例は以上のように構成され、回転蓋３を回動させて飲み口２３を開閉すると、回転蓋３に取り付けられたリボン５２の位置も回転して変化するため、たとえば首元で青い蝶ネクタイを結んだ男性（オス）や、頭にピンクのリボンを結んだ女性（メス）のようにタンブラー用蓋１のデザインが全く異なるものに変化し、デザインの変化を楽しむことができる。
【００１６】
なお本実施例では、キャラクターのリボン位置を変化させるものとしたが、本考案はこれに限定されるものではなく、回転蓋３の開閉によって装飾が変化するものであれば、他の装飾デザインであってもよい。
リボン５２を回転蓋３に係合させ、耳５１を蓋本体２に接着により取り付け、回転蓋３の開け閉めによってデザインの変化を楽しむものとしたが、耳５１やリボン５２のデザインを全く異なるものに交換したり取り付け位置を変更したりすることにより、タンブラー用蓋を容易に他のデザインに変更することができる。異なるデザインであっても蓋本体２や回転蓋３を共通に用いることができ、製造コストや製造工程の増加を抑制することができる。
【符号の説明】
【００１７】
１      タンブラー用蓋
２      蓋本体
３      回転蓋
４      タンブラー本体
２１    嵌め込み部
２２    パッキン
２３    飲み口
２４    リブ
２５    切り欠き
２６    ロック溝
２７    軸受け
３１    栓
３２    ロック片
３３    凸部
３４    回動突起
５１    耳（装飾Ｂ）
５２    リボン（装飾Ａ）
【図１】
0003150162.tif 000003
【図２】
0003150162.tif 000004
【図３】
0003150162.tif 000005